(57)【要約】【課題】近年市場に出回っているＤＶＤメディアやブロードバンド通信などを利用した高品位なディジタル映画コンテンツに関しては、制作者の意図する色状態が忠実に再現されない弊害が発生しうる。【解決手段】（１）コンテンツデータを定義および／または表示するための制作者モニタデータと、（２）コンテンツデータを定義および／または表示するための視聴者モニタデータとを比較するメインマイコン７０と、制作者モニタデータに基づいて調整されたコンテンツデータを、比較の結果に基づいて所定の色域および／または階調に変換する色・階調補正回路５０と、変換されたコンテンツデータを、視聴者モニタデータに基づいて表示するパネル駆動ＩＣ９０、ＬＣＤパネル９１〜９３とを備えた画像表示システムである。【選択図】  図２
2004282599.tif 000002
【特許請求の範囲】
【請求項１】
コンテンツデータを定義および／または表示するための第１の基準データに基づいて調整された前記コンテンツデータを、少なくとも前記第１の基準データに基づいて所定の色域および／または階調に設定するコンテンツデータ設定手段と、
前記設定されたコンテンツデータを表示するコンテンツデータ表示手段とを備えた画像表示装置。
【請求項２】
（１）コンテンツデータを定義および／または表示するための第１の基準データと、（２）前記コンテンツデータを定義および／または表示するための第２の基準データとを比較する基準データ比較手段と、
前記第１の基準データに基づいて調整された前記コンテンツデータを、前記比較の結果に基づいて所定の色域および／または階調に変換するコンテンツデータ変換手段と、
前記変換されたコンテンツデータを、前記第２の基準データに基づいて表示するコンテンツデータ表示手段とを備えた画像表示装置。
【請求項３】
前記第１の基準データは、所定のネットワークを介してダウンロードされる請求項１または２記載の画像表示装置。
【請求項４】
前記コンテンツデータは、固有のコンテンツデータＩＤを有し、
前記第１の基準データは、前記固有のコンテンツデータＩＤに基づいてダウンロードされる請求項１または２記載の画像表示装置。
【請求項５】
前記調整されたコンテンツデータは、所定のネットワークを介してダウンロードされる請求項１または２記載の画像表示装置。
【請求項６】
前記コンテンツデータ設定手段は、前記第１の基準データまたは前記コンテンツデータ表示手段における所定のシネマ／ビデオ識別データの識別結果に基づいて、所定のカラー表示および／または白色表示が行われるように、前記コンテンツデータを設定する請求項１記載の画像表示装置。
【請求項７】
前記コンテンツデータ変換手段は、前記第１の基準データまたは前記コンテンツデータ表示手段における所定のシネマ／ビデオ識別データの識別結果に基づいて、所定のカラー表示および／または白色表示が行われるように、前記コンテンツデータを変換する請求項２記載の画像表示装置。
【請求項８】
前記第１の基準データおよび／または前記第２の基準データは、白色色度ポイント、Ｒ原色色度ポイント、Ｇ原色色度ポイント、Ｂ原色色度ポイントの内の少なくとも一つに関する、前記コンテンツデータを定義するためのデータを含む請求項１または２記載の画像表示装置。
【請求項９】
前記第１の基準データおよび／または前記第２の基準データは、前記Ｒ原色色度ポイント、前記Ｇ原色色度ポイント、前記Ｂ原色色度ポイントの何れとも相異なる、拡張用の色度ポイントデータをさらに含む請求項８記載の画像表示装置。
【請求項１０】
前記第１の基準データおよび／または前記第２の基準データは、ガンマ、黒レベル、コントラストレベルの内の少なくとも一つに関する、前記コンテンツデータを表示するためのデータを含む請求項１または２記載の画像表示装置。
【請求項１１】
前記第１の基準データおよび／または前記第２の基準データは、所定の部分ごとに前記コンテンツデータを定義および／または表示するためのデータである請求項１または２記載の画像表示装置。
【請求項１２】
コンテンツデータを定義および／または表示するための第１の基準データに基づいて調整された前記コンテンツデータを、少なくとも前記第１の基準データに基づいて所定の色域および／または階調に設定するコンテンツデータ設定ステップと、
前記設定されたコンテンツデータを表示するコンテンツデータ表示ステップとを備えた画像表示方法。
【請求項１３】
（１）コンテンツデータを定義および／または表示するための第１の基準データと、（２）前記コンテンツデータを定義および／または表示するための第２の基準データとを比較する基準データ比較ステップと、
前記第１の基準データに基づいて調整された前記コンテンツデータを、前記比較の結果に基づいて所定の色域および／または階調に変換するコンテンツデータ変換ステップと、
前記変換されたコンテンツデータを、前記第２の基準データに基づいて表示するコンテンツデータ表示ステップとを備えた画像表示方法。
【請求項１４】
請求項１２記載の画像表示方法の、コンテンツデータを定義および／または表示するための第１の基準データに基づいて調整された前記コンテンツデータを、少なくとも前記第１の基準データに基づいて所定の色域および／または階調に設定するコンテンツデータ設定ステップと、前記設定されたコンテンツデータを表示するコンテンツデータ表示ステップとをコンピュータに実行させるためのプログラム。
【請求項１５】
請求項１３記載の画像表示方法の、（１）コンテンツデータを定義および／または表示するための第１の基準データと、（２）前記コンテンツデータを定義および／または表示するための第２の基準データとを比較する基準データ比較ステップと、前記第１の基準データに基づいて調整された前記コンテンツデータを、前記比較の結果に基づいて所定の色域および／または階調に変換するコンテンツデータ変換ステップと、前記変換されたコンテンツデータを、前記第２の基準データに基づいて表示するコンテンツデータ表示ステップとをコンピュータに実行させるためのプログラム。
【請求項１６】
請求項１４または１５記載のプログラムを担持した記録媒体であって、コンピュータにより処理可能な記録媒体。
【発明の詳細な説明】
【０００１】
【発明の属する技術分野】
本発明は、たとえばＤＶＤメディアやブロードバンド通信などを利用した高品位なディジタル映画コンテンツの再生を行うための画像表示装置、画像表示方法、プログラム、および記録媒体に関する。
【０００２】
【従来の技術】
▲１▼テレビ受像機においては、Ｒ（Ｒｅｄ）、Ｇ（Ｇｒｅｅｎ）、Ｂ（Ｂｌｕｅ）の３原色を用いた正の加法混色によって色が再現されている。現行の標準テレビジョン方式であるＮＴＳＣ（Ｎａｔｉｏｎａｌ  Ｔｅｌｅｖｉｓｉｏｎ  Ｓｙｓｔｅｍ  Ｃｏｍｍｉｔｔｅｅ）方式においては、ＨＤＴＶ方式、プロジェクタによる色再現範囲の説明図である図１０に示されているように、Ｒ、Ｇ、Ｂの３原色のｘ−ｙ色度図における３原色色度の伝送規格値が、それぞれ
【０００３】
【数１】
Ｒ：ｘ＝０．６７０、ｙ＝０．３３０
Ｇ：ｘ＝０．２１０、ｙ＝０．７１０
Ｂ：ｘ＝０．１４０、ｙ＝０．０８０
となるように設定されている。
【０００４】
ここに、ＮＴＳＣ方式においては、基準白色としてＣ光（色温度６７７４Ｋ）を採用しており、その色度は
【０００５】
【数２】
Ｗ：ｘ＝０．３１０１、ｙ＝０．３１６３
である。
【０００６】
ＮＴＳＣ方式の伝送規格に準拠して受像側における３原色色度を送像側における３原色色度と同じ値に設定し、基準白色をＣ光の色度を利用して設定することによって、受像側では送像側の色を忠実に再現することができる。
【０００７】
さて、ＣＲＴ（Ｃａｔｈｏｄｅ  Ｒａｙ  Ｔｕｂｅ）を用いた通常のＣＲＴカラーテレビジョン受像機の３原色色度は、ＣＲＴの蛍光体色度で決定され、ＮＴＳＣ方式の伝送規格と相違している。また、ＣＲＴカラーテレビ受像機においては、白黒テレビジョン受像機との両立性等を考慮して、基準白色として上述のＣ光よりも色温度が高い白色を設定している。
【０００８】
したがって、ＣＲＴカラーテレビ受像機においては、受像した画像に補正を加えなければ、全ての色において色再現誤差が生じてしまう。
【０００９】
もっとも、ＣＲＴに利用される蛍光体の色度範囲はＮＴＳＣ方式における伝送規格の色度範囲よりも狭く、受像側のＣＲＴカラーテレビ受像機における色再現範囲はＮＴＳＣ方式の伝送規格の色再現範囲よりも狭い。よって、いくら補正を加えても、受像側では送像側の全ての色を忠実に再現することはできない。
【００１０】
▲２▼また、近年は、ＮＴＳＣ方式とは異なる、高精細な表示が可能なＨＤＴＶ（Ｈｉｇｈ  Ｄｅｆｉｎｉｔｉｏｎ  ＴＶ）方式による放送がある。
【００１１】
ＨＤＴＶ方式の伝送規格は、上述したＮＴＳＣ方式の伝送規格とは異なる。より具体的には、ＨＤＴＶ方式の伝送規格においては、Ｒ、Ｇ、Ｂの３原色のｘ−ｙ色度図における３原色色度が、それぞれ
【００１２】
【数３】
Ｒ：ｘ＝０．６４０、ｙ＝０．３３０
Ｇ：ｘ＝０．３００、ｙ＝０．６００
Ｂ：ｘ＝０．１５０、ｙ＝０．０６０
となるように設定されている。また、ＨＤＴＶにおいては、基準白色としてＤ６５光を採用しており、その色度は、
【００１３】
【数４】
Ｗ：ｘ＝０．３１２７、ｙ＝０．３２９０
である。
【００１４】
画像データを拡大投射する液晶プロジェクタにおいては、ＮＴＳＣ方式、ＨＤＴＶ方式の２つの信号方式に対して忠実な色再現が出来るように、これらの信号方式の規格に応じた色相補正定数を格納し、各信号方式の規格に対応して色相補正するシステムが提案されている（たとえば、特許文献１参照）。
【００１５】
▲３▼また、表示デバイスの個体差や経時変化に対して正確な色再現を行うために、色状態をカラーカメラなどで測定して補正するシステムが提案されている（たとえば、特許文献２参照）。
【００１６】
【特許文献１】
特許第３１６７４３４号明細書
【特許文献２】
特開２００１−６００８２号公報
【００１７】
【発明が解決しようとする課題】
しかしながら、たとえば、近年市場に出回っているＤＶＤ（Ｄｉｇｉｔａｌ  Ｖｅｒｓａｔｉｌｅ  Ｄｉｓｋ）メディアやブロードバンド通信などを利用した高品位なディジタル映画コンテンツに関しては、制作者の意図する色状態が忠実に再現されない弊害が発生しうるという課題があった。
【００１８】
本発明者は、ポストプロダクションでのカラーコレクションに利用された制作者側のマスタモニタのカラーセッティングと標準的なカラーセッティングとが相異なっている場合などにこのような弊害が発生するのではないかと分析している。
【００１９】
また、記録可能なＤＶＤ−ＲＡＭ、ＤＶＤ−ＲＷやデジタルカムコーダが普及し、一般ユーザが撮影したり記録した映像がネットワークで配信されたり、ＤＶＤで表示されたりすることが多くなってきた。これによって、制作者の意図する映像と実際に表示される色再現、階調表現が異なってしまうことを、本発明者はいち早く見出した。
【００２０】
本発明は、上記従来のこのような課題を考慮し、たとえばＤＶＤメディアやブロードバンド通信などを利用した高品位なディジタル映画コンテンツに関しても制作者の意図する色状態をより忠実に再現することができる画像表示装置、画像表示方法、プログラム、および記録媒体を提供することを目的とするものである。
【００２１】
【課題を解決するための手段】
第１の本発明は、コンテンツデータを定義および／または表示するための第１の基準データに基づいて調整された前記コンテンツデータを、少なくとも前記第１の基準データに基づいて所定の色域および／または階調に設定するコンテンツデータ設定手段（５０）と、
前記設定されたコンテンツデータを表示するコンテンツデータ表示手段（９０、９１〜９３）とを備えた画像表示装置（１２０、１３０）である。
【００２２】
第２の本発明は、（１）コンテンツデータを定義および／または表示するための第１の基準データと、（２）前記コンテンツデータを定義および／または表示するための第２の基準データとを比較する基準データ比較手段（７０）と、
前記第１の基準データに基づいて調整された前記コンテンツデータを、前記比較の結果に基づいて所定の色域および／または階調に変換するコンテンツデータ変換手段（５０）と、
前記変換されたコンテンツデータを、前記第２の基準データに基づいて表示するコンテンツデータ表示手段（９０、９１〜９３）とを備えた画像表示装置（１２０、１３０）である。
【００２３】
第１の本発明は、前記第１の基準データは、所定のネットワーク（２４０）を介してダウンロードされる第１または第２の本発明の画像表示装置（２２０、１３０）である。
【００２４】
第４の本発明は、前記コンテンツデータは、固有のコンテンツデータＩＤを有し、
前記第１の基準データは、前記固有のコンテンツデータＩＤに基づいてダウンロードされる第１または第２の本発明の画像表示装置（２２０、１３０）である。
【００２５】
第５の本発明は、前記調整されたコンテンツデータは、所定のネットワーク（４４１）を介してダウンロードされる第１または第２の本発明の画像表示装置（４２０、１３０）である。
【００２６】
第６の本発明は、前記コンテンツデータ設定手段（５０）は、前記第１の基準データまたは前記コンテンツデータ表示手段（９０、９１〜９３）における所定のシネマ／ビデオ識別データの識別結果に基づいて、所定のカラー表示および／または白色表示が行われるように、前記コンテンツデータを設定する第１の本発明の画像表示装置である。
【００２７】
第７の本発明は、前記コンテンツデータ変換手段（５０）は、前記第１の基準データまたは前記コンテンツデータ表示手段（９０、９１〜９３）における所定のシネマ／ビデオ識別データの識別結果に基づいて、所定のカラー表示および／または白色表示が行われるように、前記コンテンツデータを変換する第２の本発明の画像表示装置である。
【００２８】
第８の本発明は、前記第１の基準データおよび／または前記第２の基準データは、白色色度ポイント、Ｒ原色色度ポイント、Ｇ原色色度ポイント、Ｂ原色色度ポイントの内の少なくとも一つに関する、前記コンテンツデータを定義するためのデータを含む第１または第２の本発明の画像表示装置（１２０、１３０）である。
【００２９】
第９の本発明は、前記第１の基準データおよび／または前記第２の基準データは、前記Ｒ原色色度ポイント、前記Ｇ原色色度ポイント、前記Ｂ原色色度ポイントの何れとも相異なる、拡張用の色度ポイントデータをさらに含む第８の本発明の画像表示装置（１２０、１３０）である。
【００３０】
第１０の本発明は、前記第１の基準データおよび／または前記第２の基準データは、ガンマ、黒レベル、コントラストレベルの内の少なくとも一つに関する、前記コンテンツデータを表示するためのデータを含む第１または第２の本発明の画像表示装置（１２０、１３０）である。
【００３１】
第１１の本発明は、前記第１の基準データおよび／または前記第２の基準データは、所定の部分ごとに前記コンテンツデータを定義および／または表示するためのデータである第１または第２の本発明の画像表示装置（１２０、１３０）である。
【００３２】
第１２の本発明は、コンテンツデータを定義および／または表示するための第１の基準データに基づいて調整された前記コンテンツデータを、少なくとも前記第１の基準データに基づいて所定の色域および／または階調に設定するコンテンツデータ設定ステップと、
前記設定されたコンテンツデータを表示するコンテンツデータ表示ステップとを備えた画像表示方法である。
【００３３】
第１３の本発明は、（１）コンテンツデータを定義および／または表示するための第１の基準データと、（２）前記コンテンツデータを定義および／または表示するための第２の基準データとを比較する基準データ比較ステップと、
前記第１の基準データに基づいて調整された前記コンテンツデータを、前記比較の結果に基づいて所定の色域および／または階調に変換するコンテンツデータ変換ステップと、
前記変換されたコンテンツデータを、前記第２の基準データに基づいて表示するコンテンツデータ表示ステップとを備えた画像表示方法である。
【００３４】
第１４の本発明は、第１２の本発明の画像表示方法の、コンテンツデータを定義および／または表示するための第１の基準データに基づいて調整された前記コンテンツデータを、少なくとも前記第１の基準データに基づいて所定の色域および／または階調に設定するコンテンツデータ設定ステップと、前記設定されたコンテンツデータを表示するコンテンツデータ表示ステップとをコンピュータに実行させるためのプログラムである。
【００３５】
第１５の本発明は、第１３の本発明の画像表示方法の、（１）コンテンツデータを定義および／または表示するための第１の基準データと、（２）前記コンテンツデータを定義および／または表示するための第２の基準データとを比較する基準データ比較ステップと、前記第１の基準データに基づいて調整された前記コンテンツデータを、前記比較の結果に基づいて所定の色域および／または階調に変換するコンテンツデータ変換ステップと、前記変換されたコンテンツデータを、前記第２の基準データに基づいて表示するコンテンツデータ表示ステップとをコンピュータに実行させるためのプログラムである。
【００３６】
第１６の本発明は、第１４または第１５の本発明のプログラムを担持した記録媒体であって、コンピュータにより処理可能な記録媒体である。
【００３７】
【発明の実施の形態】
以下では、本発明にかかる実施の形態について、図面を参照しつつ説明を行う。
【００３８】
（実施の形態１）
はじめに、本発明の実施の形態１のコンテンツ制作システムのブロック図である図１（Ａ）、および本発明の実施の形態１の画像表示システムのブロック図である図１（Ｂ）を主として参照しながら、本実施の形態のコンテンツ制作・画像表示システムの構成について説明する。
【００３９】
まず、図１（Ａ）を主として参照しながら、コンテンツ制作者側における本実施の形態のコンテンツ制作システムの構成について説明する。
【００４０】
マスタデータ１５０は、コンテンツデータを記録するための、デジタルマスタとして使用される記録媒体である。
【００４１】
カラーコレクション装置１６０は、マスタデータ１５０から読み出したコンテンツデータを、（１）制作者モニタ１７０にカラー表示させ、（２）制作者モニタ１７０の表示状態を監視しているコンテンツ制作者の指示に応じたトリミングやカラーコレクションによって画像加工するための装置である。
【００４２】
なお、カラーコレクション装置１６０によって画像加工されたコンテンツデータは、ダウンコンバート・エンコード処理された後に、制作者モニタ１７０のカラーセッティングなどを与えるための制作者モニタデータと対応付けてＤＶＤメディア１００に書き込まれる。
【００４３】
制作者モニタ１７０は、前述の制作者モニタデータに基づき、マスタデータ１５０から読み出されたコンテンツデータをコンテンツ制作者に対してカラー表示するための装置である。
【００４４】
ＤＶＤメディア１００は、前述のトリミングやカラーコレクションが行われたコンテンツデータを制作者モニタ１７０に関する制作者モニタデータと対応付けて記録するための、一般のコンテンツ視聴者向けの市場販売品として使用される記録媒体である。
【００４５】
ここに、制作者モニタデータは、後述の、白色色度ポイント、Ｒ原色色度ポイント、Ｇ原色色度ポイント、Ｂ原色色度ポイント、ガンマ値γ、黒レベル、コントラストレベルなどに関する、パッケージ化された複数コンテンツに対するチャプタごとに定められたデータである。
【００４６】
つぎに、図１（Ｂ）を主として参照しながら、コンテンツ視聴者側における本実施の形態の画像表示システムの構成について説明する。
【００４７】
ＤＶＤプレーヤ１１０は、コンテンツデータおよび制作者モニタデータを、ＤＶＤメディア１００から読み出し、映像信号処理装置１２０に転送するための装置である。
【００４８】
映像信号処理装置１２０は、（１）ＤＶＤプレーヤ１１０から転送されてきた制作者モニタデータと表示デバイス１３０のカラーセッティングなどを与えるための視聴者モニタデータ（専用メモリ（図示省略）に設定されている）とを比較し、（２）ＤＶＤプレーヤ１１０から転送されてきたコンテンツデータを、その比較の結果に応じて視聴者モニタ表示用に変換し、表示デバイス１３０にカラー表示させるための装置である。
【００４９】
表示デバイス１３０は、前述の視聴者モニタデータを利用して、視聴者モニタ表示用に変換されたコンテンツデータをコンテンツ視聴者に対してカラー表示するための装置である。
【００５０】
ここに、視聴者モニタデータは、制作者モニタデータと同様、白色色度ポイント、Ｒ原色色度ポイント、Ｇ原色色度ポイント、Ｂ原色色度ポイント、ガンマ値γ、黒レベル、コントラストレベルなどに関するデータである。
【００５１】
ここで、本発明の実施の形態１の画像表示システムの詳細ブロック図である図２を主として参照しながら、本実施の形態の画像表示システム（映像信号処理装置１２０、表示デバイス１３０）のより詳細な構成について説明する。
【００５２】
ＶＩＤＥＯ端子１１は、ＮＴＳＣ方式のコンポジットビデオ信号を入力するための端子である。
【００５３】
Ｓ−ＶＩＤＥＯ端子１２は、Ｓビデオ信号を入力するための端子である。
【００５４】
ＲＧＢ／ＹＰｂＰｒ端子１３は、ＲＧＢ信号またはＹＰｂＰｒ信号を入力するための端子である。
【００５５】
入力セレクタ２１は、ＶＩＤＥＯ端子１１から入力されたコンポジットビデオ信号、Ｓ−ＶＩＤＥＯ端子１２から入力されたＳビデオ信号の内から何れかの信号を選択するためのセレクタである。
【００５６】
Ｙ／Ｃ分離回路２３は、カラーデコーダ２２によって入力されたコンポジットビデオ信号を、Ｙ信号とＣ信号とに分離するための回路である。
【００５７】
カラーデコーダ２２は、Ｙ／Ｃ分離された信号または入力されたＹ／Ｃ信号をＹＰｂＰｒ信号にカラーデコードするためのデコーダである。
【００５８】
マトリクス回路２４は、ＲＧＢ／ＹＰｂＰｒ端子１３から入力されたＹＰｂＰｒ信号をＲＧＢ信号へ変換する際にマトリクス処理を行うための回路である。
【００５９】
入力セレクタ２５は、ＲＧＢ／ＹＰｂＰｒ端子１３から入力されたＲＧＢ信号、マトリクス回路２４によって生成されたＲＧＢ信号の内から何れかの信号を選択するためのセレクタである。
【００６０】
入力セレクタ２６は、カラーデコーダ２２によって生成されたＹＰｂＰｒ信号、入力セレクタ２５によって入力されたＲＧＢ信号の内から何れかのアナログ信号を選択するためのセレクタである。
【００６１】
Ａ／Ｄコンバータ３０は、入力セレクタ２６によって選択されたアナログ信号を、１０ｂｉｔのデジタル信号へＡ／Ｄコンバートするためのコンバータである。
【００６２】
リサイズ・オンスクリーン発生回路４０は、Ａ／Ｄコンバータ３０によってＡ／Ｄコンバートされたデジタル信号を、ＬＣＤ（Ｌｉｑｕｉｄ  ＣｒｙｓｔａｌＰａｎｅｌ）パネル９１〜９３の画素数に応じてリサイズし、オンスクリーンを重畳させるための回路である。
【００６３】
色・階調補正回路５０は、メインマイコン７０によって行われたマイコン処理結果をレジスタ設定し、リサイズ・オンスクリーン発生回路４０によってリサイズ・オンスクリーンされたデジタル信号を視聴者モニタ表示用に色・階調補正するための回路である。
【００６４】
シネマ判定回路６０は、フレームメモリ（図示省略）を利用して後述のシネマ／ビデオ識別データを２：３プルダウン検出することにより、Ａ／Ｄコンバータ３０によって入力されたデジタル信号がシネマソースであるか否かを判定するための回路である。
【００６５】
メインマイコン７０は、電源（図示省略）制御、ファン（図示省略）制御、温度制御、入力切り換え制御など装置全体のあらゆる制御を行うとともに、制作者モニタデータと視聴者モニタデータとを比較し、リサイズ・オンスクリーン発生回路４０によってリサイズ・オンスクリーンされたデジタル信号を視聴者モニタ表示用に色・階調補正するためのマイコン処理を行うマイコンである。
【００６６】
外部インタフェース７１は、転送されてきた制作者モニタデータを外部から入力するためのインタフェースである。
【００６７】
デジタル相展開回路８１〜８３は、ＬＣＤパネル９１〜９３の駆動ドライバ（図示省略）の動作速度を考慮して、色・階調補正回路５０によって色・階調補正されたデジタル信号を相展開するための回路である。
【００６８】
パネル駆動ＩＣ（Ｉｎｔｅｇｒａｔｅｄ  Ｃｉｒｃｕｉｔ）９０は、ＬＣＤパネル９１〜９３を駆動するための回路である。
【００６９】
ＬＣＤパネル９１〜９３は、視聴者モニタデータを利用して、デジタル相展開回路８１〜８３によって相展開されたデジタル信号をカラー表示するためのパネルである。
【００７０】
ここで、本発明の実施の形態１のデータフォーマットの説明図である図３を主として参照しながら、ＤＶＤメディア１００におけるデータフォーマットについて説明する。
【００７１】
データ部分Ｄ１は、データサイズが１２バイト（ｂｙｔｅ）であって、コンテンツデータに固有なコンテンツデータＩＤに関するコンテンツデータＩＤデータを格納している。
【００７２】
データ部分Ｄ２は、データサイズが１バイトであって、デジタル信号がシネマソースであるか否かを判定するために利用されるシネマ／ビデオ識別データを格納している。
【００７３】
データ部分Ｄ３は、データサイズが２バイトであって、カラーコレクション時の白色色度ポイント（Ｗｈｉｔｅ）に関する白色色度ポイントデータを格納している。
【００７４】
データ部分Ｄ４は、データサイズが２バイトであって、カラーコレクション時のＲ原色色度ポイント（Ｒｅｄ）に関するＲ原色色度ポイントデータを格納している。
【００７５】
データ部分Ｄ５は、データサイズが２バイトであって、カラーコレクション時のＧ原色色度ポイント（Ｇｒｅｅｎ）に関するＧ原色色度ポイントデータを格納している。
【００７６】
データ部分Ｄ６は、データサイズが２バイトであって、カラーコレクション時のＢ原色色度ポイント（Ｂｌｕｅ）に関するＢ原色色度ポイントデータを格納している。
【００７７】
データ部分Ｄ７は、データサイズが２バイトであって、カラーコレクション時のガンマ値γに関するガンマデータを格納している。
【００７８】
データ部分Ｄ８は、データサイズが２バイトであって、カラーコレクション時のモニタ（制作者モニタ１７０）が黒となる状態からの相対的な黒レベルに関する黒レベルデータを格納している。
【００７９】
データ部分Ｄ９は、データサイズが２バイトであって、カラーコレクション時のモニタ（制作者モニタ１７０）のダイナミックレンジに対する相対的なコントラストレベルに関するコントラストレベルデータを格納している。
【００８０】
データ部分Ｄ１０は、データサイズが２バイトであって、メーカーやポストプロダクションによって自由に利用されるユーザデータを格納している。このようなユーザデータとは、たとえば、微妙な色再現や階調表現が要求される臙脂色や肌色（人体の皮膚色）などの特定色に対応した拡張用の色度ポイントデータである。なお、ユーザデータは、特定色に対応する必要があるときには、先頭ビットを１とすることで、２×（特定色の数）バイトだけ拡張できる。
【００８１】
なお、メインマイコン７０を含む手段は本発明の基準データ比較手段を含む手段に対応し、色・階調補正回路５０を含む手段は本発明のコンテンツデータ変換手段を含む手段に対応し、パネル駆動ＩＣ９０、ＬＣＤパネル９１〜９３を含む手段は本発明のコンテンツデータカラー表示手段を含む手段に対応する。
【００８２】
また、本実施の形態の画像表示システム（映像信号処理装置１２０、表示デバイス１３０）は本発明の画像表示装置を含む手段に対応する。
【００８３】
なお、メインマイコン７０を含む手段は、本発明のコンテンツデータ設定手段を含む手段にも対応する。
【００８４】
また、本実施の形態の制作者モニタデータは本発明の第１の基準データに対応し、本実施の形態の視聴者モニタデータは本発明の第２の基準データに対応する。
【００８５】
つぎに、本実施の形態のコンテンツ制作・画像表示システムの動作について説明する。なお、本実施の形態のコンテンツ制作・画像表示システムの動作について説明しながら、本発明の画像表示方法の一実施の形態についても説明する（他の実施の形態においても、同様である）。
【００８６】
まず、図１（Ａ）を参照しながら、本実施の形態のコンテンツ制作システムの動作について説明する。
【００８７】
カラーコレクション装置１６０は、コンテンツデータをマスタデータ１５０から読み出す。
【００８８】
制作者モニタ１７０は、制作者モニタデータを利用して、マスタデータ１５０から読み出されたコンテンツデータをコンテンツ制作者に対してカラー表示する。
【００８９】
カラーコレクション装置１６０は、マスタデータ１５０から読み出したコンテンツデータを、制作者モニタ１７０の表示状態を監視しているコンテンツ制作者の指示に応じたトリミングやカラーコレクションによって画像加工する。
【００９０】
なお、カラーコレクション装置１６０によって画像加工されたコンテンツデータは、ダウンコンバート・エンコード処理された後に、制作者モニタ１７０のカラーセッティングなどを与えるための制作者モニタデータと対応付けてＤＶＤメディア１００に書き込まれる。
【００９１】
つぎに、図１（Ｂ）を参照しながら、本実施の形態の画像表示システムの動作について説明する。
【００９２】
ＤＶＤプレーヤ１１０は、コンテンツデータおよび制作者モニタデータを、ＤＶＤメディア１００から読み出し、映像信号処理装置１２０に転送する。
【００９３】
映像信号処理装置１２０は、視聴者モニタデータとＤＶＤプレーヤ１１０から転送されてきた制作者モニタデータとを比較する。
【００９４】
そして、映像信号処理装置１２０は、ＤＶＤプレーヤ１１０から転送されてきたコンテンツデータを、その比較の結果に応じて視聴者モニタ表示用に変換する。
【００９５】
表示デバイス１３０は、視聴者モニタデータを利用して、視聴者モニタ表示用に変換されたコンテンツデータをコンテンツ視聴者に対してカラー表示する。
【００９６】
本実施の形態によれば、コンテンツ制作時のカラーセッティングなどを適切に考慮することが可能となり、コンテンツ制作者の意図にしたがったカラーマネジメントを行うことができる。
【００９７】
（実施の形態２）
はじめに、本発明の実施の形態２の画像表示システムのブロック図である図４を主として参照しながら、本実施の形態の画像表示システムの構成について説明する。
【００９８】
本実施の形態の特徴は、制作者モニタデータが、映像信号処理装置２２０によって、ＤＶＤプレーヤ２１０がＤＶＤメディア２００から読み出したコンテンツデータＩＤを利用して広域ネットワーク２４０経由でＷｅｂサーバ２４１からダウンロードされる点にある。
【００９９】
さて、本実施の形態の画像表示システムの構成は前述した実施の形態１の画像表示システムの構成と類似しているので、主にこれらの相違点について説明を行う。
【０１００】
ＤＶＤメディア２００は、前述した実施の形態１のＤＶＤメディア１００（図１（Ａ）〜（Ｂ）参照）と類似した構成を有しているが、制作者モニタデータは記録しておらず、コンテンツデータが有する固有のコンテンツデータＩＤをコンテンツデータと対応付けて記録している記録媒体である。
【０１０１】
ＤＶＤプレーヤ２１０は、前述した実施の形態１のＤＶＤプレーヤ１１０（図１（Ｂ）参照）と類似した構成を有しており、コンテンツデータおよびコンテンツデータＩＤを、ＤＶＤメディア２００から読み出し、映像信号処理装置２２０に転送するための装置である。
【０１０２】
映像信号処理装置２２０は、前述した実施の形態１の映像信号処理装置１２０（図１（Ｂ）参照）と類似した構成を有しており、（１）コンテンツデータＩＤを利用してダウンロードした制作者モニタデータと視聴者モニタデータとを比較し、（２）ＤＶＤプレーヤ２１０から転送されてきたコンテンツデータを、その比較の結果に応じて視聴者モニタ表示用に変換し、表示デバイス１３０にカラー表示させるための装置である。
【０１０３】
広域ネットワーク２４０は、映像信号処理装置２２０がコンテンツデータＩＤと対応付けられた制作者モニタデータをダウンロードする際に利用されるネットワークである。
【０１０４】
Ｗｅｂサーバ２４１は、映像信号処理装置２２０がコンテンツデータＩＤと対応付けられた制作者モニタデータをダウンロードする際に利用される、広域ネットワーク２４０に接続されたサーバである。
【０１０５】
なお、広域ネットワーク２４０は、本発明の所定のネットワークに対応する。
【０１０６】
つぎに、本実施の形態の画像表示システムの動作について説明する。
【０１０７】
ＤＶＤプレーヤ２１０は、コンテンツデータおよびコンテンツデータＩＤを、ＤＶＤメディア２００から読み出し、映像信号処理装置２２０に転送する。
【０１０８】
映像信号処理装置２２０は、コンテンツデータＩＤを利用して、広域ネットワーク２４０経由でＷｅｂサーバ２４１から制作者モニタデータをダウンロードする。
【０１０９】
その際、本発明の実施の形態２の制作者モニタデータをダウンロードするためのＷｅｂページの説明図である図５に示されているようなＷｅｂページが、ＧＵＩ（Ｇｒａｐｈｉｃａｌ  Ｕｓｅｒ  Ｉｎｔｅｒｆａｃｅ）を利用してユーザに表示される。
【０１１０】
そして、映像信号処理装置２２０は、ダウンロードした制作者モニタデータと視聴者モニタデータとを比較し、ＤＶＤプレーヤ２１０から転送されてきたコンテンツデータを、その比較の結果に応じて視聴者モニタ表示用に変換する。
【０１１１】
表示デバイス１３０は、視聴者モニタデータを利用して、視聴者モニタ表示用に変換されたコンテンツデータをコンテンツ視聴者に対してカラー表示する。
【０１１２】
本実施の形態によれば、必要に応じて制作者モニタデータを広域ネットワーク２４０経由でダウンロードすることが可能になるので、制作者モニタデータそのものの代わりにデータサイズの小さいコンテンツデータＩＤのみをＤＶＤメディア２００に記録しておけばよく、限りあるＤＶＤメディア２００のデータ領域をコンテンツデータの記録に有効に活用することができる。
【０１１３】
（実施の形態３）
はじめに、本発明の実施の形態３の画像表示システムのブロック図である図６を主として参照しながら、本実施の形態の画像表示システムの構成について説明する。
【０１１４】
本実施の形態の特徴は、制作者モニタデータが、ホームサーバ３４０によって、ＤＶＤプレーヤ２１０がＤＶＤメディア２００から読み出したコンテンツデータＩＤを利用してＣＤ−ＲＯＭ（Ｃｏｍｐａｃｔ  Ｄｉｓｋ−Ｒｅａｄ  Ｏｎｌｙ  Ｍｅｍｏｒｙ）メディア３４１から読み出される点にある。
【０１１５】
さて、本実施の形態の画像表示システムの構成は前述した実施の形態１〜２の画像表示システムの構成と類似しているので、主にこれらの相違点について説明を行う。
【０１１６】
映像信号処理装置３２０は、前述した実施の形態２の映像信号処理装置２２０（図４参照）と類似した構成を有しており、（１）ホームネットワーク（図示省略）経由でホームサーバ３４０にコンテンツデータＩＤと対応付けられた制作者モニタデータの読み出しを命令し、（２）読み出された制作者モニタデータと視聴者モニタデータとを比較し、（３）ＤＶＤプレーヤ２１０から転送されてきたコンテンツデータを、その比較の結果に応じて視聴者モニタ表示用に変換し、表示デバイス１３０にカラー表示させるための装置である。
【０１１７】
ホームサーバ３４０は、映像信号処理装置３２０に命令されるとコンテンツデータＩＤと対応付けられた制作者モニタデータをＣＤ−ＲＯＭメディア３４１から読み出すための、ホームネットワーク（図示省略）に接続されたサーバである。
【０１１８】
ＣＤ−ＲＯＭメディア３４１は、前述した実施の形態１のＤＶＤメディア１００（図１（Ａ）〜（Ｂ）参照）と類似した構成を有しているが、コンテンツデータは記録しておらず、制作者モニタデータをコンテンツデータが有する固有のコンテンツデータＩＤと対応付けて記録している記録媒体である。
【０１１９】
つぎに、本実施の形態の画像表示システムの動作について説明する。
【０１２０】
ＤＶＤプレーヤ２１０は、コンテンツデータおよびコンテンツデータＩＤを、ＤＶＤメディア２００から読み出し、映像信号処理装置３２０に転送する。
【０１２１】
映像信号処理装置３２０は、ホームネットワーク（図示省略）経由でホームサーバ３４０にコンテンツデータＩＤと対応付けられた制作者モニタデータの読み出しを命令する。
【０１２２】
ホームサーバ３４０は、コンテンツデータＩＤと対応付けられた制作者モニタデータをＣＤ−ＲＯＭメディア３４１から読み出す。
【０１２３】
映像信号処理装置３２０は、ＣＤ−ＲＯＭメディア３４１から読み出された制作者モニタデータと視聴者モニタデータとを比較し、ＤＶＤプレーヤ２１０から転送されてきたコンテンツデータを、その比較の結果に応じて視聴者モニタ表示用に変換する。
【０１２４】
表示デバイス１３０は、視聴者モニタデータを利用して、視聴者モニタ表示用に変換されたコンテンツデータをコンテンツ視聴者に対してカラー表示する。
【０１２５】
本実施の形態によれば、コンテンツデータの発売元が雑誌付録などの形態でＣＤ−ＲＯＭメディア３４１を供給することで、ユーザはコンテンツデータと対応付けられた制作者モニタデータをより容易に利用することができる。
【０１２６】
（実施の形態４）
はじめに、本発明の実施の形態４の画像表示システムのブロック図である図７を主として参照しながら、本実施の形態の画像表示システムの構成について説明する。
【０１２７】
本実施の形態の特徴は、コンテンツデータおよび制作者モニタデータの両者が、ホームサーバ４４０によって、広域ネットワーク４４１経由でＷｅｂサーバ４４２からダウンロードされる点にある。
【０１２８】
さて、本実施の形態の画像表示システムの構成は前述した実施の形態１〜３の画像表示システムの構成と類似しているので、主にこれらの相違点について説明を行う。
【０１２９】
映像信号処理装置４２０は、前述した実施の形態３の映像信号処理装置３２０（図６参照）と類似した構成を有しており、（１）Ｗｅｂサーバ４４２からダウンロードされた制作者モニタデータと視聴者モニタデータとを比較し、（２）Ｗｅｂサーバ４４２からダウンロードされたコンテンツデータを、その比較の結果に応じて視聴者モニタ表示用に変換し、表示デバイス１３０にカラー表示させるための装置である。
【０１３０】
ホームサーバ４４０は、前述した実施の形態３のホームサーバ３４０（図６参照）と類似した構成を有しており、コンテンツデータおよび制作者モニタデータを広域ネットワーク４４１経由でＷｅｂサーバ４４２からダウンロードするための、広域ネットワーク４４１およびホームネットワーク（図示省略）に接続されたサーバである。
【０１３１】
広域ネットワーク４４１は、前述した実施の形態２の広域ネットワーク２４０（図４参照）と類似した構成を有しており、ホームサーバ４４０がコンテンツデータおよび制作者モニタデータをダウンロードする際に利用されるネットワークである。
【０１３２】
Ｗｅｂサーバ４４２は、前述した実施の形態２のＷｅｂサーバ２４１（図４参照）と類似した構成を有しており、ホームサーバ４４０がコンテンツデータおよび制作者モニタデータをダウンロードする際に利用される、広域ネットワーク４４１に接続されたサーバである。
【０１３３】
なお、広域ネットワーク４４１は、本発明の所定のネットワークに対応する。
【０１３４】
つぎに、本実施の形態の画像表示システムの動作について説明する。
【０１３５】
ホームサーバ４４０は、コンテンツデータおよび制作者モニタデータを広域ネットワーク４４１経由でＷｅｂサーバ４４２からダウンロードする。
【０１３６】
映像信号処理装置４２０は、Ｗｅｂサーバ４４２からダウンロードされた制作者モニタデータと視聴者モニタデータとを比較し、Ｗｅｂサーバ４４２からダウンロードされたコンテンツデータをその比較の結果に応じて視聴者モニタ表示用に変換する。
【０１３７】
表示デバイス１３０は、視聴者モニタデータを利用して、視聴者モニタ表示用に変換されたコンテンツデータをコンテンツ視聴者に対してカラー表示する。
【０１３８】
本実施の形態によれば、コンテンツデータおよび制作者モニタデータをともに広域ネットワーク４４１経由で供給することで、ユーザはコンテンツデータと対応付けられた制作者モニタデータをより容易に利用することができる。
【０１３９】
（実施の形態５）
はじめに、本発明の実施の形態５の画像表示システムのブロック図である図８を主として参照しながら、本実施の形態の画像表示システムの構成について説明する。
【０１４０】
本実施の形態の特徴は、制作者モニタデータが、ホームサーバ５４０によって、（ａ）ＤＶＤプレーヤ５１０がＤＶＤメディア２００から読み出したコンテンツデータＩＤを利用して広域ネットワーク２４０経由でＷｅｂサーバ２４１からダウンロードされ、（ｂ）映像信号処理装置５２０に設定される点にある。
【０１４１】
さて、本実施の形態の画像表示システムの構成は前述した実施の形態１〜４の画像表示システムの構成と類似しているので、主にこれらの相違点について説明を行う。
【０１４２】
ＤＶＤプレーヤ５１０は、前述した実施の形態２のＤＶＤプレーヤ２１０（図４参照）と類似した構成を有しており、（１）コンテンツデータおよびコンテンツデータＩＤをＤＶＤメディア２００から読み出し、（２）その読み出したコンテンツデータを映像信号処理装置５２０に転送し、（３）ホームネットワーク（図示省略）経由でホームサーバ５４０にその読み出したコンテンツデータＩＤと対応付けられた制作者モニタデータのダウンロードを命令するための装置である。
【０１４３】
映像信号処理装置５２０は、前述した実施の形態４の映像信号処理装置４２０（図７参照）と類似した構成を有しており、（１）ホームサーバ５４０によって設定された制作者モニタデータと視聴者モニタデータとを比較し、（２）ＤＶＤメディア２００から読み出されたコンテンツデータを、その比較の結果に応じて視聴者モニタ表示用に変換し、表示デバイス１３０にカラー表示させるための装置である。
【０１４４】
ホームサーバ５４０は、前述した実施の形態４のホームサーバ４４０（図７参照）と類似した構成を有しており、ＤＶＤプレーヤ５１０に命令されると、コンテンツデータＩＤと対応付けられた制作者モニタデータを、（１）広域ネットワーク２４０経由でＷｅｂサーバ２４１からダウンロードし、（２）映像信号処理装置５２０に設定するための、広域ネットワーク２４０およびホームネットワーク（図示省略）に接続されたサーバである。
【０１４５】
つぎに、本実施の形態の画像表示システムの動作について説明する。
【０１４６】
ＤＶＤプレーヤ５１０は、コンテンツデータおよびコンテンツデータＩＤを、ＤＶＤメディア２００から読み出す。
【０１４７】
そして、ＤＶＤプレーヤ５１０は、その読み出したコンテンツデータを映像信号処理装置５２０に転送し、ホームネットワーク（図示省略）経由でホームサーバ５４０にその読み出したコンテンツデータＩＤと対応付けられた制作者モニタデータのダウンロードを命令する。
【０１４８】
ホームサーバ５４０は、コンテンツデータＩＤと対応付けられた制作者モニタデータを、広域ネットワーク２４０経由でＷｅｂサーバ２４１からダウンロードし、映像信号処理装置５２０に設定する
映像信号処理装置５２０は、設定された制作者モニタデータと視聴者モニタデータとを比較し、ＤＶＤメディア２００から読み出されたコンテンツデータをその比較の結果に応じて視聴者モニタ表示用に変換する。
【０１４９】
表示デバイス１３０は、視聴者モニタデータを利用して、視聴者モニタ表示用に変換されたコンテンツデータをコンテンツ視聴者に対してカラー表示する。
【０１５０】
本実施の形態によれば、ＤＶＤプレーヤ５１０から映像信号処理装置５２０を経由せずホームサーバ５４０に制作者モニタデータのダウンロードを命令することが可能になるので、映像信号処理装置５２０に大きな負担を課することなく、制作者モニタデータを広域ネットワーク２４０経由でダウンロードすることができる。
【０１５１】
（実施の形態６）
はじめに、本発明の実施の形態６のコンテンツ制作システムのブロック図である図１１（Ａ）、および本発明の実施の形態６の画像表示システムのブロック図である図１１（Ｂ）を主として参照しながら、本実施の形態のコンテンツ制作・画像表示システムの構成について説明する。
【０１５２】
本実施の形態の特徴は、コンテンツデータが、制作者カメラ６５０に関する制作者カメラデータおよび制作者モニタ６７０に関する制作者モニタデータと対応付けられてＤＶＤメディア６００に記録されている点にある。
【０１５３】
さて、本実施の形態のコンテンツ制作・画像表示システムの構成は前述した実施の形態１の本実施の形態のコンテンツ制作・画像表示システムの構成と類似しているので、主にこれらの相違点について説明を行う。
【０１５４】
まず、図１１（Ａ）を主として参照しながら、コンテンツ制作者側における本実施の形態のコンテンツ制作システムの構成について説明する。
【０１５５】
制作者カメラ６５０は、撮像を行ってコンテンツデータを生成し、生成したコンテンツデータおよび制作者カメラデータをカラーコレクション装置６６０に出力する装置である。
【０１５６】
カラーコレクション装置６６０は、前述した実施の形態１のカラーコレクション装置１６０（図１（Ａ）参照）と類似した構成を有しており、制作者カメラ６５０から出力されたコンテンツデータおよび制作者カメラデータを入力し、入力したコンテンツデータを、（１）入力した制作者カメラデータに基づき制作者モニタ６７０にカラー表示させ、（２）制作者モニタ６７０の表示状態を監視しているコンテンツ制作者の指示に応じたトリミングやカラーコレクションによって画像加工するための装置である。
【０１５７】
なお、カラーコレクション装置６６０によって画像加工されたコンテンツデータは、ダウンコンバート・エンコード処理された後に、前述の制作者カメラデータおよび制作者モニタ６７０のセッティング状態などを与えるための制作者モニタデータと対応付けてＤＶＤメディア６００に書き込まれる。
【０１５８】
制作者モニタ６７０は、前述した実施の形態１の制作者モニタ１７０（図１（Ａ）参照）と類似した構成を有しており、制作者カメラ６５０から出力された制作者カメラデータおよび前述の制作者モニタデータを利用して、制作者カメラ６５０から出力されたコンテンツデータをコンテンツ制作者に対してカラー表示するための装置である。
【０１５９】
ＤＶＤメディア６００は、前述した実施の形態１のＤＶＤメディア１００（図１（Ａ）〜（Ｂ）参照）と類似した構成を有しているが、コンテンツデータを、制作者カメラ６５０に関する制作者カメラデータおよび制作者モニタ６７０に関する制作者モニタデータと対応付けて記録する記録媒体である。
【０１６０】
ここに、制作者カメラデータは、後述の、白色色度ポイント、Ｒ原色色度ポイント、Ｇ原色色度ポイント、Ｂ原色色度ポイント、ガンマ値γなどに関するデータである。また、制作者モニタデータは、後述の黒レベル、コントラストレベルなどに関するデータである。
【０１６１】
つぎに、図１１（Ｂ）を主として参照しながら、コンテンツ視聴者側における本実施の形態の画像表示システムの構成について説明する。
【０１６２】
ＤＶＤプレーヤ６１０は、前述した実施の形態１のＤＶＤプレーヤ１１０（図１（Ｂ）参照）と類似した構成を有しており、コンテンツデータ、制作者カメラデータおよび制作者モニタデータを、ＤＶＤメディア６００から読み出し、映像信号処理装置６２０に転送するための装置である。
【０１６３】
映像信号処理装置６２０は、前述した実施の形態１の映像信号処理装置１２０（図１（Ｂ）参照）と類似した構成を有しており、（１）ＤＶＤプレーヤ６１０から転送されてきた制作者カメラデータおよび制作者モニタデータと、表示デバイス６３０のセッティング状態などを与えるための視聴者モニタデータとを比較し、（２）ＤＶＤプレーヤ６１０から転送されてきたコンテンツデータを、その比較の結果に応じて視聴者モニタ表示用に変換し、表示デバイス６３０にカラー表示させるための装置である。
【０１６４】
表示デバイス６３０は、前述した実施の形態１の表示デバイス１３０（図１（Ｂ）参照）と類似した構成を有しており、前述の視聴者モニタデータを利用して、視聴者モニタ表示用に変換されたコンテンツデータをコンテンツ視聴者に対してカラー表示するための装置である。
【０１６５】
ここに、視聴者モニタデータは、前述した実施の形態１の場合と同様、白色色度ポイント、Ｒ原色色度ポイント、Ｇ原色色度ポイント、Ｂ原色色度ポイント、ガンマ値γ、黒レベル、コントラストレベルなどに関するデータである。
【０１６６】
ここで、本発明の実施の形態６のデータフォーマットの説明図である図１２を主として参照しながら、ＤＶＤメディア６００におけるデータフォーマットについて説明する。
【０１６７】
データ部分Ｄ２１は、データサイズが１２バイトであって、コンテンツデータに固有なコンテンツデータＩＤに関するコンテンツデータＩＤデータを格納している。
【０１６８】
データ部分Ｄ２２は、データサイズが１バイトであって、デジタル信号がシネマソースであるか否かを判定するために利用されるシネマ／ビデオ識別データを格納している。
【０１６９】
データ部分Ｄ２３は、データサイズが２バイトであって、撮像時またはカラーコレクション時の白色色度ポイント（Ｗｈｉｔｅ）に関する白色色度ポイントデータを格納している。
【０１７０】
データ部分Ｄ２４は、データサイズが２バイトであって、撮像時またはカラーコレクション時のＲ原色色度ポイント（Ｒｅｄ）に関するＲ原色色度ポイントデータを格納している。
【０１７１】
データ部分Ｄ２５は、データサイズが２バイトであって、撮像時またはカラーコレクション時のＧ原色色度ポイント（Ｇｒｅｅｎ）に関するＧ原色色度ポイントデータを格納している。
【０１７２】
データ部分Ｄ２６は、データサイズが２バイトであって、撮像時またはカラーコレクション時のＢ原色色度ポイント（Ｂｌｕｅ）に関するＢ原色色度ポイントデータを格納している。
【０１７３】
データ部分Ｄ２７は、データサイズが２バイトであって、撮像時またはカラーコレクション時のガンマ値γに関するガンマデータを格納している。
【０１７４】
データ部分Ｄ２８は、データサイズが２バイトであって、カラーコレクション時のモニタが黒となる状態からの相対的な黒レベルに関する黒レベルデータを格納している。
【０１７５】
データ部分Ｄ２９は、データサイズが２バイトであって、カラーコレクション時のモニタのダイナミックレンジに対する相対的なコントラストレベルに関するコントラストレベルデータを格納している。
【０１７６】
データ部分Ｄ３０は、データサイズが２バイトであって、メーカーやポストプロダクションによって自由に利用されるユーザデータを格納している。
【０１７７】
また、本実施の形態の制作者カメラデータおよび制作者モニタデータを含むデータは本発明の第１の基準データに対応し、本実施の形態の視聴者モニタデータは本発明の第２の基準データに対応する。
【０１７８】
つぎに、本実施の形態のコンテンツ制作・画像表示システムの動作について説明する。
【０１７９】
まず、図１１（Ａ）を参照しながら、本実施の形態のコンテンツ制作システムの動作について説明する。
【０１８０】
制作者カメラ６５０は、撮像を行ってコンテンツデータを生成し、生成したコンテンツデータおよび制作者カメラデータをカラーコレクション装置６６０に出力する。
【０１８１】
カラーコレクション装置６６０は、制作者カメラ６５０から出力されたコンテンツデータおよび制作者カメラデータを入力する。
【０１８２】
制作者モニタ６７０は、制作者カメラ６５０から出力された制作者カメラデータおよび制作者モニタデータを利用して、制作者カメラ６５０から出力されたコンテンツデータをコンテンツ制作者に対してカラー表示する。
【０１８３】
カラーコレクション装置６６０は、制作者カメラ６５０から出力されたコンテンツデータを、制作者モニタ６７０の表示状態を監視しているコンテンツ制作者の指示に応じたトリミングやカラーコレクションによって画像加工する。
【０１８４】
なお、カラーコレクション装置６６０によって画像加工されたコンテンツデータは、ダウンコンバート・エンコード処理された後に、制作者カメラデータおよび制作者モニタデータと対応付けてＤＶＤメディア６００に書き込まれる。
【０１８５】
つぎに、図１１（Ｂ）を参照しながら、本実施の形態の画像表示システムの動作について説明する。
【０１８６】
ＤＶＤプレーヤ６１０は、コンテンツデータ、制作者カメラデータおよび制作者モニタデータを、ＤＶＤメディア６００から読み出し、映像信号処理装置６２０に転送する。
【０１８７】
映像信号処理装置６２０は、ＤＶＤプレーヤ６１０から転送されてきた制作者カメラデータおよび制作者モニタデータと、視聴者モニタデータとを比較する。
【０１８８】
そして、映像信号処理装置６２０は、ＤＶＤプレーヤ６１０から転送されてきたコンテンツデータを、その比較の結果に応じて視聴者モニタ表示用に変換する。
【０１８９】
表示デバイス６３０は、視聴者モニタデータを利用して、視聴者モニタ表示用に変換されたコンテンツデータをコンテンツ視聴者に対してカラー表示する。
【０１９０】
本実施の形態によれば、撮像時およびコンテンツ制作時のセッティング状態などを適切に考慮することが可能となり、コンテンツ制作者の意図にしたがったカラーマネジメントを行うことができる。
【０１９１】
（実施の形態７）
はじめに、本発明の実施の形態７のコンテンツ制作・画像表示システムのブロック図である図１３を主として参照しながら、本実施の形態のコンテンツ制作・画像表示システムの構成について説明する。
【０１９２】
本実施の形態の特徴は、制作者カメラ６５０が撮像を行って生成したコンテンツデータおよび制作者モニタデータの両者が、（カラーコレクションされることなく）ホームサーバ７４０によって、広域ネットワーク７４１経由でＷｅｂサーバ７４２からダウンロードされる点にある。
【０１９３】
さて、本実施の形態のコンテンツ制作・画像表示システムの構成は前述した実施の形態１のコンテンツ制作・画像表示システムの構成（および実施の形態１〜６の画像表示システムの構成）と類似しているので、主にこれらの相違点について説明を行う。
【０１９４】
制作者カメラ７４３は、前述した実施の形態６の制作者カメラ６５０（図１１参照）と類似した構成を有しており、撮像を行ってコンテンツデータを生成し、生成したコンテンツデータおよび制作者カメラデータをＷｅｂサーバ７４２に出力する装置である。
【０１９５】
映像信号処理装置７２０は、前述した実施の形態４の映像信号処理装置４２０（図７参照）と類似した構成を有しており、（１）Ｗｅｂサーバ７４２からダウンロードされた制作者カメラデータと視聴者モニタデータとを比較し、（２）Ｗｅｂサーバ７４２からダウンロードされたコンテンツデータを、その比較の結果に応じて視聴者モニタ表示用に変換し、表示デバイス７３０にカラー表示させるための装置である。
【０１９６】
ホームサーバ７４０は、前述した実施の形態４のホームサーバ４４０（図７参照）と類似した構成を有しており、コンテンツデータおよび制作者カメラデータを広域ネットワーク７４１経由でＷｅｂサーバ７４２からダウンロードするための、広域ネットワーク７４１およびホームネットワーク（図示省略）に接続されたサーバである。
【０１９７】
広域ネットワーク７４１は、前述した実施の形態４の広域ネットワーク４４１（図７参照）と類似した構成を有しており、ホームサーバ７４０がコンテンツデータおよび制作者カメラデータをダウンロードする際に利用されるネットワークである。
【０１９８】
Ｗｅｂサーバ７４２は、前述した実施の形態４のＷｅｂサーバ４４２（図７参照）と類似した構成を有しており、ホームサーバ７４０がコンテンツデータおよび制作者カメラデータをダウンロードする際に利用される、広域ネットワーク７４１に接続されたサーバである。
【０１９９】
なお、広域ネットワーク７４１は、本発明の所定のネットワークに対応する。
【０２００】
つぎに、本実施の形態のコンテンツ制作・画像表示システムの動作について説明する。
【０２０１】
制作者カメラ７４３は、撮像を行ってコンテンツデータを生成し、生成したコンテンツデータおよび制作者カメラデータをＷｅｂサーバ７４２に出力する。
【０２０２】
ホームサーバ７４０は、コンテンツデータおよび制作者カメラデータを広域ネットワーク７４１経由でＷｅｂサーバ７４２からダウンロードする。
【０２０３】
映像信号処理装置７２０は、Ｗｅｂサーバ７４２からダウンロードされた制作者カメラデータと視聴者モニタデータとを比較し、Ｗｅｂサーバ７４２からダウンロードされたコンテンツデータをその比較の結果に応じて視聴者モニタ表示用に変換する。
【０２０４】
表示デバイス７３０は、視聴者モニタデータを利用して、視聴者モニタ表示用に変換されたコンテンツデータをコンテンツ視聴者に対してカラー表示する。
【０２０５】
本実施の形態によれば、コンテンツデータおよび制作者カメラデータをともに広域ネットワーク７４１経由で供給することで、ユーザはコンテンツデータと対応付けられた制作者カメラデータをより容易に利用することができる。
【０２０６】
以上においては、本実施の形態１〜７について詳細に説明を行った。
【０２０７】
（Ａ）なお、本発明の第１の基準データに基づいて調整されたコンテンツデータは、たとえば上述した本実施の形態１においては、第１の基準データと第２の基準データとの比較の結果に基づいて、第２の基準データに基づいて行われるカラー表示用に変換された。
【０２０８】
しかし、これに限らず、本発明の第１の基準データに基づいて調整されたコンテンツデータは、少なくとも前記第１の基準データに基づいて所定の色域および／または階調に設定されたり変換されたりしてもよい。
【０２０９】
たとえば、第２の基準データが一律であると見なせるときや第２の基準データが第１の基準データがほぼ等しいと見なせるときには、第１の基準データのみを考慮して、所定の色域および／または階調が実現されるようにコンテンツデータの設定や変換を行ってもよい。
【０２１０】
より具体的には、一般ユーザ向けカラーセッティングが標準化された状況では、視聴者モニタ用の第２の基準データがユーザごとにほぼ一律となる。このため、ポストプロダクションでのカラーコレクションに利用されたマスタモニタ用の第１の基準データを考慮してコンテンツデータにブライトやコントラストレベルの設定を行えば、制作者の意図する色状態をかなり忠実に再現できるわけである。
【０２１１】
（Ｂ）また、本発明のコンテンツデータカラー表示手段は、たとえば上述した本実施の形態１においては、ＬＣＤパネル９１〜９３を利用してコンテンツデータのカラー表示を行った。
【０２１２】
しかし、これに限らず、本発明のコンテンツデータカラー表示手段は、たとえば、ＤＬＰ（Ｄｉｇｉｔａｌ  Ｌｉｇｈｔ  Ｐｒｏｃｅｓｓｉｎｇ）デバイスや、ＰＤＰ（Ｐｌａｓｍａ  Ｄｉｓｐｌａｙ  Ｐａｎｅｌ）デバイスを利用してコンテンツデータのカラー表示を行ってもよい。
【０２１３】
なお、本発明が最も効果を発揮できるのは、白色光を光分離させＲＧＢ表示デバイスで画像表示を行う場合であり、ＤＬＰ、ＬＣＤプロジェクタが好ましい。
【０２１４】
（Ｃ）また、本発明の基準データ比較手段は、たとえば上述した本実施の形態１においては、コンテンツデータを変換するための色・階調補正回路５０とは異なる回路として構成されたメインマイコン７０を利用して第１の基準データと第２の基準データとの比較を行った。
【０２１５】
しかし、これに限らず、本発明の基準データ比較手段は、コンテンツデータを変換するための回路と同じ回路を利用して第１の基準データと第２の基準データとの比較を行ってもよい。
【０２１６】
（Ｄ）また、本発明のコンテンツデータは、たとえば上述した本実施の形態１においては、ＤＶＤメディア１００に記録されていた。
【０２１７】
しかし、これに限らず、本発明のコンテンツデータは、たとえば、フラッシュメモリなどの半導体メモリに記録されていてもよい。
【０２１８】
（Ｅ）また、本発明のガンマに関するデータは、たとえば上述した本実施の形態１においては、ガンマ値γに関するガンマデータであった。
【０２１９】
しかし、これに限らず、本発明のガンマに関するデータは、たとえば、正規化された入力信号の強度である入力レベルＩ（０≦Ｉ≦１）と同様に正規化された出力信号の強度である出力レベルＯ（０≦Ｏ≦１）との対応関係に関するガンマデータであってもよい。
【０２２０】
より具体的には、本発明の一実施の形態のデータフォーマットの説明図である図９に示されているようなデータフォーマットが利用されてもよい。
【０２２１】
ここに、データ部分Ｄ１１は、データ部分Ｄ１（図３参照）と同様、データサイズが１２バイトであって、コンテンツデータに固有なコンテンツデータＩＤに関するコンテンツデータＩＤデータを格納している。データ部分Ｄ１２は、データサイズが１バイトであって、調整すべき色がＲ、Ｇ、Ｂの何れであるのかを識別するために利用されるＲＧＢ識別データを格納している。データ部分Ｄ１３は、データサイズが２バイトであって、入力レベルＩ１に関する入力レベルデータを格納している。データ部分Ｄ１４は、データサイズが２バイトであって、出力レベルＯ１に関する出力レベルデータを格納している。データ部分Ｄ１５は、データサイズが２バイトであって、入力レベルＩ２に関する入力レベルデータを格納している。データ部分Ｄ１６は、データサイズが２バイトであって、出力レベルＯ２に関する出力レベルデータを格納している。データ部分Ｄ１７は、データサイズが２バイトであって、入力レベルＩ３に関する入力レベルデータを格納している。データ部分Ｄ１８は、データサイズが２バイトであって、出力レベルＯ３に関する出力レベルデータを格納している。データ部分Ｄ１９は、データサイズが１バイトであって、データエンドを明示するために利用されるデータエンド明示データを格納している。
【０２２２】
入力レベルＩと出力レベルＯとの間に良好な近似式
【０２２３】
【数５】
Ｏ＝Ｉγ
が成立する場合には、ガンマ値γを利用する方が必要なデータサイズをより小さくでき望ましいが、（数５）が成立しない場合には、上述のような入力レベルＩｋと出力レベルＯｋとの対応関係を利用する方がより適切なガンマ補正を実行でき望ましい。
【０２２４】
（Ｆ）また、本発明のコンテンツデータ変換手段（コンテンツデータ設定手段）は、たとえば上述した本実施の形態１においては、第１の基準データにより、所定のカラー表示および白色表示を行った。
【０２２５】
しかし、これに限らず、本発明のコンテンツデータ変換手段（コンテンツデータ設定手段）は、たとえば、コンテンツデータカラー表示手段におけるシネマコンテンツ識別結果により、所定のカラー表示および／または白色表示を行ってもよい。
【０２２６】
より具体的には、基準データのＤ２の情報か２：３プルダウン検出した結果で強制的にＷの色度をＤ６５にしてもよい。
【０２２７】
（Ｇ）また、本発明のプログラムは、上述した本発明の画像表示方法の全部または一部のステップ（または、工程、動作、作用等）の動作をコンピュータにより実行させるためのプログラムであって、コンピュータと協働して動作するプログラムである。
【０２２８】
また、本発明の記録媒体は、上述した本発明の画像表示方法の全部または一部のステップ（または、工程、動作、作用等）の全部または一部の動作をコンピュータにより実行させるためのプログラムを担持した記録媒体であり、コンピュータにより読み取り可能かつ、読み取られた前記プログラムが前記コンピュータと協動して前記動作を実行する記録媒体である。
【０２２９】
なお、本発明の上記「一部のステップ（または、工程、動作、作用等）」とは、それらの複数のステップの内の、一つまたは幾つかのステップを意味する。
【０２３０】
また、本発明の上記「ステップ（または、工程、動作、作用等）の動作」とは、前記ステップの全部または一部の動作を意味する。
【０２３１】
また、本発明のプログラムの一利用形態は、コンピュータにより読み取り可能な記録媒体に記録され、コンピュータと協働して動作する態様であっても良い。
【０２３２】
また、本発明のプログラムの一利用形態は、伝送媒体中を伝送し、コンピュータにより読みとられ、コンピュータと協働して動作する態様であっても良い。
【０２３３】
また、記録媒体としては、ＲＯＭ等が含まれ、伝送媒体としては、インターネット等の伝送媒体、光・電波・音波等が含まれる。
【０２３４】
また、上述した本発明のコンピュータは、セットマイコン（メインマイコン７０）やＣＰＵ等の純然たるハードウェアに限らず、ファームウェアや、ＯＳ、更に周辺機器を含むものであっても良い。
【０２３５】
なお、以上説明した様に、本発明の構成は、ソフトウェア的に実現しても良いし、ハードウェア的に実現しても良い。
【０２３６】
【発明の効果】
本発明は、たとえばＤＶＤメディアやブロードバンド通信などを利用した高品位なディジタル映画コンテンツに関しても制作者の意図する色状態をより忠実に再現することができるという長所を有する。
【図面の簡単な説明】
【図１】（Ａ）本発明の実施の形態１のコンテンツ制作システムのブロック図（Ｂ）本発明の実施の形態１の画像表示システムのブロック図
【図２】本発明の実施の形態１の画像表示システムの詳細ブロック図
【図３】本発明の実施の形態１のデータフォーマットの説明図
【図４】本発明の実施の形態２の画像表示システムのブロック図
【図５】本発明の実施の形態２の制作者モニタデータをダウンロードするためのＷｅｂページの説明図
【図６】本発明の実施の形態３の画像表示システムのブロック図
【図７】本発明の実施の形態４の画像表示システムのブロック図
【図８】本発明の実施の形態５の画像表示システムのブロック図
【図９】本発明の一実施の形態のデータフォーマットの説明図
【図１０】ＮＴＳＣ方式、ＨＤＴＶ方式、プロジェクタによる色再現範囲の説明図
【図１１】（Ａ）本発明の実施の形態６のコンテンツ制作システムのブロック図（Ｂ）本発明の実施の形態６の画像表示システムのブロック図
【図１２】本発明の実施の形態６のデータフォーマットの説明図
【図１３】本発明の実施の形態７のコンテンツ制作・画像表示システムのブロック図
【符号の説明】
１１  ＶＩＤＥＯ端子
１２  Ｓ−ＶＩＤＥＯ端子
１３  ＲＧＢ／ＹＰｂＰｒ端子
２１  入力セレクタ
２２  カラーデコーダ
２３  Ｙ／Ｃ分離回路
２４  マトリクス回路
２５  入力セレクタ
２６  入力セレクタ
３０  Ａ／Ｄコンバータ
４０  リサイズ・オンスクリーン発生回路
５０  色・階調補正回路
６０  シネマ判定回路
７０  メインマイコン
７１  外部インタフェース
８１〜８３  デジタル相展開回路
９０  パネル駆動ＩＣ
９１〜９３  ＬＣＤパネル
１００  ＤＶＤメディア
１１０  ＤＶＤプレーヤ
１２０  映像信号処理装置
１３０  表示デバイス
１５０  マスタデータ
１６０  カラーコレクション装置
１７０  制作者モニタ
【図１】
2004282599.tif 000003
【図２】
2004282599.tif 000004
【図３】
2004282599.tif 000005
【図４】
2004282599.tif 000006
【図５】
2004282599.tif 000007
【図６】
2004282599.tif 000008
【図７】
2004282599.tif 000009
【図８】
2004282599.tif 000010
【図９】
2004282599.tif 000011
【図１０】
2004282599.tif 000012
【図１１】
2004282599.tif 000013
【図１２】
2004282599.tif 000014
【図１３】
2004282599.tif 000015